(57)【要約】【課題】容器又は蓋体と端子片との位置ズレ、及び容器又は蓋体からの端子片の抜けを防止する。【解決手段】電気二重層キャパシタ１は、電解液を含浸させた一対の活物質片３０、３０をセパレータ６を介して重ねたセル３を具え、該セル３を容器５内に収納して蓋体２にて容器５の開口を覆って構成される。容器５及び蓋体２内にて各活物質片３０、３０は端子片４０、４に繋がり、該端子片４０、４は容器５の外側に延びている。容器５又は蓋体２と端子片４０の一方には位置決め突起５１が、他方には該位置決め突起５１に嵌まる位置決め凹部７が形成され、位置決め突起５１と位置決め凹部７の嵌合により、端子片４０は容器５又は蓋体２内にて水平面内の位置決めがされる。【選択図】    図５
2005019656.tif 000002
【特許請求の範囲】
【請求項１】
電解液を含浸させた一対の活物質片（３０）（３０）をセパレータ（６）を介して重ねたセル（３）を具え、該セル（３）を容器（５）内に収納して蓋体（２）にて容器（５）の開口を覆って構成され、容器（５）及び蓋体（２）内にて各活物質片（３０）（３０）は端子片（４０）（４）に繋がり、該端子片（４０）（４）は容器（５）の外側に延びた電気二重層キャパシタに於いて、
容器（５）又は蓋体（２）と端子片（４０）の一方には位置決め突起（５１）が、他方には該位置決め突起（５１）に嵌まる位置決め凹部（７）が形成され、位置決め突起（５１）と位置決め凹部（７）の嵌合により、端子片（４０）は容器（５）又は蓋体（２）内にて水平面内の位置決めがされることを特徴とする電気二重層キャパシタ。
【請求項２】
電解液を含浸させた一対の活物質片（３０）（３０）をセパレータ（６）を介して重ねたセル（３）を具え、該セル（３）を容器（５）内に収納して蓋体（２）にて容器（５）の開口を覆って構成され、容器（５）及び蓋体（２）内にて各活物質片（３０）（３０）は端子片（４０）（４）に繋がり、該端子片（４０）（４）は容器（５）の外側に延びた電気二重層キャパシタに於いて、
容器（５）又は蓋体（２）と端子片（４０）の一方には抜止め突起（７０）が、他方には該抜止め突起（７０）に嵌まる凹部（５２）が形成され、抜止め突起（７０）と凹部（５２）との嵌合により、端子片（４０）は容器（５）又は蓋体（２）内から外れることを防止されることを特徴とする電気二重層キャパシタ。
【請求項３】
電解液を含浸させた一対の活物質片（３０）（３０）をセパレータ（６）を介して重ねたセル（３）を具え、該セル（３）を容器（５）内に収納して蓋体（２）にて容器（５）の開口を覆って構成され、容器（５）及び蓋体（２）内にて各活物質片（３０）（３０）は端子片（４０）（４）に繋がり、該端子片（４０）（４）は容器（５）の外側に延びた二次電池に於いて、
容器（５）又は蓋体（２）と端子片（４０）の一方には位置決め突起（５１）が、他方には該位置決め突起（５１）に嵌まる位置決め凹部（７）が形成され、位置決め突起（５１）と位置決め凹部（７）の嵌合により、端子片（４０）は容器（５）又は蓋体（２）内にて水平面内の位置決めがされることを特徴とする二次電池。
【発明の詳細な説明】
【０００１】
【発明の属する技術分野】
本発明は、電気二重層キャパシタ及び二次電池に関する。
【０００２】
【従来の技術】
近年、充電・放電が繰り返し可能な電気二重層キャパシタ（１）が、提案されている。
これは図７に示すように、活性炭等からなる２つの活物質片（３０）（３０）にプロピレンカーボネート等の電解液を含浸させている。両活物質片（３０）（３０）をセパレータ（６）を介して重ねてセル（３）を構成し、該セル（３）を容器（５）内に収納し、蓋体（２）を被せている。活物質とは、充電や放電の電気化学反応を起こす物質であり、活性炭の他に、炭素コンポジット等がある。
容器（５）及び蓋体（２）はともに金属製であり、容器（５）及び蓋体（２）が正負何れかの端子となる。容器（５）及び蓋体（２）の側部は、熱可塑性プラスチック等からなる封止部材（１０）により封止され、容器（５）及び蓋体（２）とが電気的に導通することを防ぐとともに、容器（５）内に水分が侵入し又は容器（５）から電解液が漏れることを防いでいる。
【０００３】
図７に示す電気二重層キャパシタ（１）にあっては、容器（５）は金属板を深絞り加工して形成される。従って、容器（５）は、深絞り加工し易い扁平円形に形成され、電気二重層キャパシタ（１）もコイン状のものが多かった。そのため、図８に示すように同じ回路基板（８）上に、四角形状がほとんどである他の電子部品（８０）（８０）と、該電気二重層キャパシタ（１）を並べると、デッドスペース（８１）ができてしまい、無駄が生じている印象を与える。従って、容器（５）を合成樹脂にて矩形状に形成し、電気二重層キャパシタ（１）を略直方体に形成することが提案されている（例えば、特許文献１参照）。これは図９に示すように、蓋体（２）を容器（５）に合わせて、矩形状に形成し、下側の活物質片（３０）は容器（５）の外側に延びる端子片（４０）に繋がる。蓋体（２）は該端子片（４０）と逆の極になる端子片（４）に繋がる。
【０００４】
【特許文献１】
特開２００１−２１６９５２号（第２図）
【０００５】
【発明が解決しようとする課題】
電気二重層キャパシタ（１）の容器（５）が合成樹脂製で、端子片（４０）が金属製であるから、端子片（４０）上にインサート成形によって、容器（５）を形成することが考えられる。この場合、端子片（４０）が容器（５）から不用意に抜けることがあれば、下側の活物質片（３０）と端子片（４０）との接触面積が変わり、電気二重層キャパシタ（１）としての静電容量がバラ付く虞れがある。
また、図１０に一点鎖線で示すように、端子片（４０）が容器（５）内にて、正規の位置から水平方向にずれたままインサート成形されると、後記の如く、上下の活物質片（３０）（３０）が正しく重ならない問題を生じる虞れもある。また、端子片（４０）が容器（５）内にて不用意にずれると、端子片（４０）が浮いてしまう虞れもある。これでは、端子片（４０）の高さが一定せず、回路基板に実装しにくい問題も招来する。蓋体（２）を合成樹脂にて形成し、該蓋体（２）を端子片（４０）上にインサート成形によって設けた場合も、同様の問題が生じる。
本発明の目的は、容器（５）又は蓋体（２）と端子片（４０）との位置ズレ、及び容器（５）又は蓋体（２）からの端子片（４０）の抜けを防止することにある。
【０００６】
【課題を解決する為の手段】
容器（５）又は蓋体（２）と端子片（４０）の一方には位置決め突起（５１）が、他方には該位置決め突起（５１）に嵌まる位置決め凹部（７）が形成され、位置決め突起（５１）と位置決め凹部（７）の嵌合により、端子片（４０）は容器（５）内にて水平面内の位置決めがされる。
また、容器（５）又は蓋体（２）と端子片（４０）の一方には抜止め突起（７０）が、他方には該抜止め突起（７０）に嵌まる凹部（５２）が形成され、抜止め突起（７０）と凹部（５２）との嵌合により、端子片（４０）は容器（５）内から外れることを防止される。
【０００７】
【作用及び効果】
位置決め突起（５１）が位置決め凹部（７）に嵌まることにより、端子片（４０）の容器（５）に対する水平面内の位置が決定される。従って、端子片（４０）上に取り付けられる容器（５）内の活物質片（３０）の位置が定まる。他方の端子片（４）及び蓋体（２）にも、位置決め突起（５１）と位置決め凹部（７）を設ければ、蓋体（２）内の活物質片（３０）の位置が定まる。これにより、両活物質片（３０）（３０）を正確に合わせることができ、電気二重層キャパシタ（１）の静電容量が安定する。
また、抜止め突起（７０）が凹部（５２）に嵌まることにより、端子片（４０）が抜けることが防止される。これによっても、両活物質片（３０）（３０）を正確に対向させることができ、電気二重層キャパシタ（１）の静電容量が安定する。
【０００８】
【発明の実施の形態】
以下、本発明の一例を図を用いて詳述する。
図１は、電気二重層キャパシタ（１）の斜視図であり、図２は、図１をＡ−Ａ線を含む面にて破断した断面図である。電気二重層キャパシタ（１）は上面が開口した第１凹面（５０）を有する容器（５）上に、蓋体（２）を取り付けて、略直方体に形成されている。容器（５）を略直方体に形成することにより、電気二重層キャパシタ（１）を回路基板上に実装した際に、デッドスペースが生じることを防いでいる。
容器（５）と蓋体（２）はともに合成樹脂、具体的にはエポキシ樹脂、ポリプロピレン等の合成樹脂、又はセラミックスやガラスから形成され、容器（５）及び蓋体（２）の側面から端子片（４）（４０）を突出している。端子片（４）（４０）は、容器（５）の下面と同一面内に位置しており、電気二重層キャパシタ（１）は安定して回路基板上に載置される。
【０００９】
図２に示すように、蓋体（２）は下面が開口した第２凹面（２０）を形成しており、両凹部（５０）（２０）内に、前記セル（３）が嵌まる。セル（３）は前記と同様に、一対の活物質片（３０）（３０）をセパレータ（６）を介して重ねて構成される。何れの端子片（４）（４０）が正極、負極になるかは、当初何れの端子片（４）（４０）に正の電圧、負の電圧を印加するかにより決定される。
図３は、図２の電気二重層キャパシタ（１）の分解図である。一方の端子片（４）は２段に折曲されて、蓋体（２）の外側に突出した第１片（４１）と、該第１片（４１）の基端部から起立した第２片（４２）と、該第２片（４２）の先端部から水平に延び、下面に活物質片（３０）が取り付けられる第３片（４３）を一体に具えている。第１片（４１）、第３片（４３）の基端部及び第２片（４２）は、蓋体（２）内に設けられており、蓋体（２）はインサート成形により端子片（４）上に形成される。上側の活物質片（３０）は、第２凹面（２０）内に位置する。
【００１０】
他方の端子片（４０）は、２段に折曲されて、容器（５）の外側に突出した第４片（４４）と、該第４片（４４）の基端部から起立した第５片（４５）と、該第５片（４５）の先端部から水平に延び、上面に活物質片（３０）が取り付けられる第６片（４６）を一体に具えている。第４片（４４）、第６片（４６）の基端部及び第５片（４５）は、容器（５）内に設けられており、容器（５）はインサート成形により端子片（４０）上に形成される。下側の活物質片（３０）は、第１凹面（５０）内に位置する。
【００１１】
図４は、容器（５）がインサート成形される端子片（４０）の平面図である。端子片（４０）の第６片（４６）の先端縁部には、位置決め凹部（７）が開設され、端子片（４０）の両側縁部からは抜止め突起（７０）（７０）が突出している。
図５は、端子片（４０）にインサート成形した容器（５）の平面図である。容器（５）の第１凹面（５０）の周縁部には、位置決め凹部（７）に嵌まる位置決め突起（５１）、及び抜止め突起（７０）に嵌まる凹部（５２）が形成されている。
位置決め突起（５１）が位置決め凹部（７）に嵌まることにより、端子片（４０）の容器（５）に対する水平面内の位置が決定され、抜止め突起（７０）が凹部（５２）に嵌まることにより、左右ガタが規制される。従って、端子片（４０）上に取り付けられる容器（５）内の活物質片（３０）の位置が定まる。他方の端子片（４）及び蓋体（２）にも、位置決め突起（５１）と位置決め凹部（７）を設ければ、蓋体（２）内の活物質片（３０）の位置が定まる。これにより、両活物質片（３０）（３０）を正確に合わせることができ、電気二重層キャパシタ（１）の静電容量が安定する。
また、抜止め突起（７０）が凹部（５２）に嵌まることにより、端子片（４０）がその長手方向に沿って抜けることが防止される。これによっても、両活物質片（３０）（３０）を正確に対向させることができ、電気二重層キャパシタ（１）の静電容量が安定する。また、端子片（４０）と活物質片（３０）との接触面積が不用意に変わることはなく、電気二重層キャパシタ（１）の静電容量がバラ付く虞れはない。
更に、端子片（４０）が不用意に浮き上がることも防止され、電気二重層キャパシタ（１）を安定して回路基板上に実装できる。蓋体（２）内に凹部（５２）を形成し、蓋体（２）内に位置する端子片（４）に抜止め突起（７０）を設けてもよい。
【００１２】
電気二重層キャパシタ（１）は、以下のように製造される。
先ず、図３に示すように、端子片（４）（４０）にインサート成形された蓋体（２）及び容器（５）を用意する。第１凹面（５０）、第２凹面（２０）内に活物質片（３０）を挿入し、導電性接着剤等により端子片（４）（４０）に活物質片（３０）を取り付ける。これに真空吸入等により活物質片（３０）に電解液を含浸させる。
次に、両凹部（５０）（２０）内の活物質片（３０）（３０）に更に電解液を垂らして、活物質片（３０）（３０）に電解液を十分に含ませた後に、第１凹面（５０）内の活物質片（３０）上にセパレータ（６）を置く。この後、蓋体（２）と容器（５）を重ね、第１、第２凹面（５０）（２０）の周縁部を超音波溶着より接合する。こうして、電気二重層キャパシタ（１）が形成される。
【００１３】
上記例では、端子片（４０）の各側部に、１つずつ抜止め突起（７０）を設けているが、図６に示すように、端子片（４０）の各側部に２つ以上、設けてもよい。また、抜止め突起（７０）の形状も半円に限らず、他の形状でもよい。
更に図示はしないが、端子片（４０）に位置決め突起（５１）を設け、容器（５）又は蓋体（２）に位置決め凹部（７）を開設してもよい。更に、容器（５）又は蓋体（２）に抜止め突起（７０）を設け、端子片（４０）に凹部（５２）を形成してもよい。
【００１４】
上記例では、電解液としてプロピレンカーボネート等の有機溶媒を用いたが、これに代えて、希硫酸等の水溶性溶媒やイオン性液体を用いてもよい。また、端子片（４）（４０）はステンレス又は銅、或いはこれらにブタジエン等の導電性ゴムをコーティングしたものから構成される。
また、電気二重層キャパシタ（１）のセルに代えて、二次電池セルを用いれば、同じ構成で二次電池を形成することもできる。二次電池には、ニッカド電池、ニッケル水素電池、リチウムイオン電池等があり、具体的には、活物質としてニッケル酸化物、水素吸蔵合金等が用いられ、電解液にリチウム塩の溶解液、水酸化カリウム溶液等が用いられる。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】電気二重層キャパシタの斜視図である。
【図２】図１をＡ−Ａ線を含む面にて破断した断面図である。
【図３】図２の電気二重層キャパシタの分解図である。
【図４】端子片の平面図である。
【図５】容器と端子片の平面図である。
【図６】別の容器と端子片の平面図である。
【図７】従来の電気二重層キャパシタの断面図である。
【図８】従来の電気二重層キャパシタを回路基板に実装した状態を示す平面図である。
【図９】別の従来の電気二重層キャパシタの断面図である。
【図１０】端子板の水平面内での位置ズレを示す平面図である。
【符号の説明】
（１）    電気二重層キャパシタ
（２）    蓋体
（３）    セル
（４）    端子片
（５）    容器
（６）    セパレータ
（７）    位置決め凹部
（３０）    活物質片
（４０）    端子片
（５１）    位置決め突起
（５２）    凹部
（７０）    抜止め突起
【図１】
2005019656.tif 000003
【図２】
2005019656.tif 000004
【図３】
2005019656.tif 000005
【図４】
2005019656.tif 000006
【図５】
2005019656.tif 000007
【図６】
2005019656.tif 000008
【図７】
2005019656.tif 000009
【図８】
2005019656.tif 000010
【図９】
2005019656.tif 000011
【図１０】
2005019656.tif 000012